(57)【要約】【課題】出力電圧が相違する複数の機種でコストダウンを目的として同一のコネクタ１２を使用すると、他の機種では電子機器側からのフィードバック信号を受信するための７番目のピンを使用しない機種がある。そのようなフィードバック信号を用いない機種に他の機種の電子機器が誤接続されると、定格電圧が違うので電子機器が故障するおそれがある。【解決手段】本体入力されないはずのフィードバック信号が７番目のピンに入力されると、出力電圧を上昇するような信号を電源ＩＣに入力し、電源ＩＣの過電圧保護機能によって電力の出力を停止させるようにした。【選択図】  図３
2019009832.tif 000002
【特許請求の範囲】
【請求項１】
別体として形成された電子機器にハーネスを介して所定の電圧の電力を供給するスイッチング電源方式の電源装置であって、このハーネスの端部に形成されたハーネス側コネクタと対を成し、このハーネス側コネクタが着脱自在に接続される固定側コネクタを備えたものにおいて、この電源装置には出力電圧が上記所定の電圧より高くなった場合に電力の供給を停止する過電圧保護機能が備えられており、上記固定側コネクタに電力供給用以外の端子を設け、この端子にフィードバック信号が入力されると、出力電圧を上記所定の電圧から昇圧することにより上記過電圧保護機能を作動させて、上記電子機器への電力供給を停止させることを特徴とする電源装置。
【発明の詳細な説明】
【技術分野】
【０００１】
本発明は、例えば、別体に形成された電源装置とモニタ装置とからなる浴室テレビであって、両装置がハーネスで接続され、そのハーネスを介してモニタ装置に電力を供給する電源装置に関する。
【背景技術】
【０００２】
浴室に設置される浴室テレビは液晶表示部が大型化する一方、浴室の壁面に固定する必要から、ケーシングは可能な限り薄型にすることが望まれる。そのため、ケーシング内部に電源部を組み込むことができない。
【０００３】
そこで、浴室の壁面に取り付けられるモニタ装置と、そのモニタ装置に電力を供給する電源装置とを別体に形成し、両者をハーネスを介して接続するようにしたものが知られている。この電源装置は一定の電圧の電力を安定して供給する必要があるため、内部にシャントレギュレータを用いて出力電圧が一定になるスイッチング電源方式が採用されている（例えば、特許文献１参照）。
【０００４】
なお、このような電源装置では、出力電圧が設定されいている所定電圧より高い電圧になると、電力供給を受けている電子機器が故障するおそれがあるので、出力電圧が所定の電圧よりも高くなると電力供給を停止する過電圧保護機能が設けられている（例えば、特許文献２参照）。
【先行技術文献】
【特許文献】
【０００５】
【特許文献１】特開２０１４−１９３０１８号公報（図２）
【特許文献２】特開２００６−９４６１８号公報（[０００２]）
【発明の概要】
【発明が解決しようとする課題】
【０００６】
例えば上記浴室テレビの場合、仕様が相違する複数種類の機種が存在する場合がある。仕様の相違があまり大きくない場合には、各機種で部品等を共通化することによってコストダウンを図る場合がある。
【０００７】
図４を参照して、機種Ａと機種Ｂの２機種が存在する場合であって、機種Ａの電源装置Ａｐは１６ボルトの電力を出力し、機種Ｂの電源装置Ｂｐでは１９ボルトの電力を出力する場合について説明する。機種Ａの電源装置Ａｐは内部に＋１６ボルトラインＡｐ１とグランドラインＡｐ２とを備え、各ラインＡｐ１，Ａｐ２は各々３経路に分岐されてハーネスのプラスラインＡｍ１とグランドラインＡｍ２とに接続される。そしてハーネスの各ラインＡｍ１，Ａｍ２を介して１６ボルトの電力が機種Ａのモニタ装置Ａｍに供給される。なお、このモニタ装置Ａｍは電力の供給を受けると、電源装置Ａｐに対してフィードバック信号を返すように構成されいる。そのフィードバック信号はフィードバックラインＡｍ３を介して電源装置Ａｐ内のフィードバックラインＡｐ３に返される。
【０００８】
一方、機種Ｂでは出力電圧は１９ボルトで有り、かつフィードバック信号はモニタ装置Ｂｍから電源装置Ｂｐへと返されないように構成されている。
【０００９】
このような構成で、電源装置Ａｐとモニタ装置Ａｍとからなる機種Ａが設置されているユーザ宅で、電源装置Ａｐが故障した場合、新たな電源装置Ａｐと故障した電源装置Ａｐとを交換する必要がある。ここで、コストダウンのため、電源装置Ａｐと電源装置Ｂｐとが外見上全く同一に製造されている場合、誤って電源装置Ｂｐを手配して、機種Ｂの電源装置Ｂｐを機種Ａのモニタ装置Ａｍに接続するミスが発生するおそれがある。機種Ａの電源装置Ａｐに機種Ｂのモニタ装置Ｂｍを誤って接続しても、本来１９ボルトの入力に対して１６ボルトが入力されるだけなので、モニタ装置Ｂｍが正常に作動するか否かは別としてモニタ装置Ｂｍが破損することはない。
【００１０】
ところが、上記のような場合、すなわち、機種Ａのモニタ装置Ａｍに、機種Ｂの電源装置Ｂｐが誤って接続されると、本来１６ボルトの入力電圧に対して１９ボルトが入力されるので、正常であったモニタ装置Ａｍもさらに故障するおそれがある。
【００１１】
そこで本発明は、上記の問題点に鑑み、本来接続すべきではない電源装置を電子機器に誤接続した場合に、電子機器への電力供給を自動的に停止して電子機器が故障することを回避することのできる電源装置を提供することを課題とする。
【課題を解決するための手段】
【００１２】
上記課題を解決するために本発明による電源装置は、別体として形成された電子機器にハーネスを介して所定の電圧の電力を供給するスイッチング電源方式の電源装置であって、このハーネスの端部に形成されたハーネス側コネクタと対を成し、このハーネス側コネクタが着脱自在に接続される固定側コネクタを備えたものにおいて、この電源装置には出力電圧が上記所定の電圧より高くなった場合に電力の供給を停止する過電圧保護機能が備えられており、上記固定側コネクタに電力供給用以外の端子を設け、この端子にフィードバック信号が入力されると、出力電圧を上記所定の電圧から昇圧することにより上記過電圧保護機能を作動させて、上記電子機器への電力供給を停止させることを特徴とする。
【００１３】
電源装置の機能としては使用しない端子に、別の機種の電子機器を誤接続した場合に、その誤接続した電子機器からのフィードバック信号をその使用しない端子で受信すると、上記プロセスによって直ちに電力の出力を停止して、誤接続された他機種の電子機器に電力が供給されないようにした。
【発明の効果】
【００１４】
以上の説明から明らかなように、本発明は、誤接続された他機種の電子機器に電力を供給しないので、誤接続された他機種の電子機器が電圧違いによって故障することを防止できる。
【図面の簡単な説明】
【００１５】
【図１】本発明による電源装置に誤った機種の電子機器であるモニタ装置を接続した図
【図２】電源装置の外観図
【図３】電源装置の回路図
【図４】２つの機種における電源装置とモニタ装置との組み合わせを説明する図
【発明を実施するための形態】
【００１６】
図１を参照して、１は本発明による電源装置で有り、上述の図４で示した機種Ｂの電源装置Ｂｐに相当するものである。一方、２は同じく機種Ａのモニタ装置Ａｍに相当するモニタ装置である。従って、本来であればこの電源装置１とモニタ装置２とは異なる機種であるため、ハーネス４を介して接続することは好ましくない。
【００１７】
本実施の形態では、機種Ａが既に設置されており、モニタ装置２にはそのモニタ装置２に対応する別の電源装置が接続されていたところ、その電源装置に故障が生じたため交換することになったが、外観が同一であるため誤って機種Ｂの電源装置１を手配し、機種Ｂの電源装置１を機種Ａのモニタ装置２に誤接続した場合について以下に説明する。なお、３はチューナ装置で有り、画像信号および音声信号をハーネス４を介してモニタ装置２に送信するものである。
【００１８】
図２を合わせて参照して、電源装置１の筐体の側面には固定側コネクタ１２が設けられており、この固定側コネクタ１２に、ハーネス４の端部に設けられているハーネス側コネクタ４１が接続される。これら両コネクタ１２，４１は機種Ａでは電力用に６ピンとフィードバック信号用に１ピンとの合計７ピン必要であるが、機種Ｂではフィードバック信号がないので６ピンしか使用しない。ただし、機種Ａと機種Ｂとで相違する固定側コネクタを用いるとコストがアップするので、機種Ｂの電源装置１にも機種Ａの電源装置と同じ７ピンの固定側コネクタ１２を使用している。なお、１１は外部の商用電源である。
【００１９】
図３を参照して、機種Ｂの電源装置である電源装置１の回路について説明する。本図の上部に１次側の回路を示し、下部に２次側を示している。１次側の回路は通常のスイッチング電源の１次側回路と同様の構成で有り、電圧を制御する電源ＩＣ１３が設けられている。この電源ＩＣ１３のフィードバック端子（ＦＢ）にはフォトカプラの一部であるフォトトランジスタ１４が接続されており、フォトトランジスタ１４の受光量が増加するのに伴って出力電圧を上昇させるように機能する。ただし、電源ＩＣ１３は過電圧保護機能を備えており、フォトトランジスタ１４の受光量が一定量を超えると、異常発生と判断して直ちに電力の供給を停止する機能を備えている。
【００２０】
フォトトランジスタ１４と対を成してフォトカプラを構成するＬＥＤ１６は２次側回路に設けられており、ＬＥＤ１６の発光量はシャントレギュレータ１５に流れる電流値によって決定される。シャントレギュレータ１５の電流値は基準（ＲＥＦ）端子の電圧によって決まる。そして、基準端子の電圧は分圧抵抗１７，１８による分圧点の電圧に相当する。そして、この基準端子の電圧が下がるとシャントレギュレータ１５の電流が増加してＬＥＤ１６の発光量が増加し、その結果、フォトトランジスタ１４の受光量が増加して出力電圧が上昇するように機能する。
【００２１】
以上は通常のスイッチング電源と同様であるが、本発明ではこの２次側回路に出力電圧調節部５を設けた。上述のように、この電源装置１は図４の機種Ｂの電源装置Ｂｐに相当するものであるから、固定側コネクタ１２には電力出力用に６ピンあれば十分である。ただし、機種Ａの電源装置Ａｐと部品を共用するため、７ピン仕様の固定側コネクタ１２を使用している。そのため、使用しない７番目のピンに機種Ａのモニタ装置側からフィードバック信号が送信されてくると、出力電圧調節部５内のトランジスタ５１がオンになるように構成した。そして、このトランジスタ５１のエミッタ−コレクタ間は上記分圧抵抗１８に対して並列に接続されているので、トランジスタ５１がオンになると分圧抵抗１８を短絡させることになる。
【００２２】
分圧抵抗１８が短絡されると基準端子の電圧がゼロに低下し、その結果、出力電圧が急激に上昇するように電源ＩＣ１３のフィードバック端子に信号が入力される。ただし、上述のように、電源ＩＣ１３には過電圧保護機能が備えられているので、このように出力電圧を上昇させる信号が電源ＩＣ１３に入力されると、実際に出力電圧を上昇させることなく電力の出力を停止させることになる。
【００２３】
機種Ａのモニタ装置Ａｍは電力供給を受けると直ちにフィードバック信号を出力するように構成されているので、機種Ｂの電源装置１に対して機種Ａのモニタ装置Ａｍを誤接続しても、上記のように電源装置１は固定側コネクタ１２にハーネス側コネクタ４１が接続されたとほぼ同時に電力の出力を停止して、モニタ装置２に１９ボルトの電力が供給されないように、機能を停止する。
【００２４】
なお、本発明は上記した形態に限定されるものではなく、本発明の要旨を逸脱しない範囲内において種々の変更を加えてもかまわない。
【符号の説明】
【００２５】
１ 電源装置
２ モニタ装置
４ ハーネス
５ 出力電圧調節部
１２ 固定側コネクタ
１５ シャントレギュレータ
１８ 分圧抵抗
４１ ハーネス側コネクタ
５１ トランジスタ
【図１】
2019009832.tif 000003
【図２】
2019009832.tif 000004
【図３】
2019009832.tif 000005
【図４】
2019009832.tif 000006